(57)【要約】      （修正有）【課題】室内あるいは身辺に固定する装飾体であって、異なる装飾面を任意に着せ替えることができる装飾体を提供する。【解決手段】装飾体は、吸着、磁石吸引、粘着等で壁に固定される外枠基板１０を有する。外枠基板１０には、装飾面１４が着脱自在に装着された内枠飾り蓋１２が交換可能に嵌合固定され、装飾面の模様を選ぶことで、着せ替え機能を楽しみ、気分の切り替えを容易に可能とする。【選択図】図２
0003231771.tif 000002
【実用新案登録請求の範囲】
【請求項１】
周辺に外壁が設けられた外枠基板と、
周辺に内側に向かって傾斜した内壁が設けられ、外枠基板の内部に嵌合する内枠飾り蓋と、
を備え、
内枠飾り蓋は外枠基板の内側に着脱可能に嵌め込まれ、
内枠飾り蓋の表面外周には外枠基板の外枠を超えるフランジが設けられ、
飾り蓋の表面は装飾面を形成している
ことを特徴とする、装飾体。
【請求項２】
請求項１に記載の装飾体であって、
外枠基板には内枠飾り蓋とは別に、装飾面を持った飾り板が着脱可能に嵌め込まれ、
飾り板は、異なる模様を持った複数の飾り板組から選択される装飾体。
【考案の詳細な説明】
【技術分野】
【０００１】
本明細書では、「キーホルダー」、「缶バッジ」、「フック」、「装身具」、「アクセサリー」などとして利用可能な装飾体が開示される。
【背景技術】
【０００２】
キーホルダー、缶バッジ、あるいはフックなどの装飾体は、身辺、卓上あるいは室内壁面などに取り付けられる本体と、この本体に固定されるブロマイド、写真などの飾りとを含む。前記飾りは使用者の好みに応じしばしば交換されるので、飾りは本体に容易に着脱自在であることが求められる。
【０００３】
特許文献１には、写真、ワッペン、絵画等の表示紙片を透視可能に収納できる一方、外出して持ち歩いて使用する場合にはキーホルダーとなると共に、自宅や職場等の室内においては表示紙片を収納可能な額縁とすることが可能なキーホルダーが記載されている。
【０００４】
この文献は、キーホルダー主体の蓋片に着脱自在に嵌合されたキーホルダーを開示し、キーホルダー主体に設けられた凹所に写真、ワッペン、絵画などの表示紙片を交換可能に収納することが出来る。
【０００５】
このキーホルダーは、表示紙片が収納可能な凹所２が形成されたキーホルダー主体１と該凹所２を開閉自在に閉止する蓋片３とから成る。蓋片３はキーホルダー主体１の凹所２に嵌合されている。したがって通常持ち歩く程度の振動では外れることはない。
【先行技術文献】
【特許文献】
【０００６】
【特許文献１】特開平１０−２３４５５８号
【考案の概要】
【考案が解決しようとする課題】
【０００７】
しかしながら、従来のキーホルダーでは、模様、写真等は本体に固定されているので、一種類の決まったデザインしか使用することが出来ず、使用者が直ぐに飽きてしまうと云う欠点があり、また本体内に収納する飾りの大きさが制限されてしまうという問題があった。
【０００８】
そこで本明細書では、基板に着脱自在に装着される大きな飾り蓋を着せ替え可能とし、その日の気分に合わせて好きな飾り蓋を基板に付け替え、毎日を楽しく過ごせる、改良された装飾体を開示している。
【課題を解決するための手段】
【０００９】
上記課題を解決するために、本考案は、
周縁に外壁が設けられた外枠基板と、周縁に内側に向かって傾斜した内壁が設けられ、外枠基板の内部に嵌合する内枠飾り蓋と、を備え、
内枠飾り蓋は外枠基板の内側に着脱可能に嵌め込まれ、内枠飾り蓋の表面外周には外枠基板の外枠を超えるフランジが設けられ、飾り蓋の表面は装飾面を形成していることを特徴とする、
装飾体。
【考案の効果】
【００１０】
本明細書で開示する装飾体によれば、一つの基板に対して、色々のデザインで構成する装飾面を持った飾り蓋を交換して、好みの装飾を愉しむことが可能となる。
【図面の簡単な説明】
【００１１】
【図１】本考案の第１実施形態を示す組み立て状態の装飾体を示す斜視図である。
【図２】図1の装飾体を分解し、飾り板を交換可能な状態を示す斜視図である。
【図３】図１の装飾体の外枠基板と内枠飾り蓋を組み合わせた断面図である。
【図４】本考案の第２実施形態を示す角形装飾体の分解斜視図である。
【図５】星形装飾面を持った内枠飾り蓋の実施形態を示す背面図である。
【図６】ハート形装飾面を持った内枠飾り蓋の実施形態を示す背面図である。
【考案を実施するための形態】
【００１２】
以下、図面を用いて本考案の実施形態を詳細に説明する。
【００１３】
図１には、本考案に係る装飾体の第１実施形態が組み立てられた状態の斜視図で示され、この装飾体は室内の壁掛けなどのフックとして用いられる。
【００１４】
装飾体は外枠基板１０を有し、この外枠基板１０は外形がほぼ円形の平皿形状からなり、周縁に外壁１０ａが設けられている。
【００１５】
図２には、第１実施形態の装飾体を分解した斜視図、そして、図３には装飾体の要部断面が示され、前記外枠基板１０には内枠飾り蓋１２が着脱可能に嵌合されている。内枠飾り蓋１２にも、外枠基板１０と同様に周縁に内壁１２ａが設けられ、内枠飾り蓋１２の内壁１２ａは内側に向かって傾斜しており、この内壁１２ａを外枠基板１０の外壁１０ａ内に押し込むことにより、内枠飾り蓋１２を外枠基板１０にしっかりと固定保持することができる。
【００１６】
本考案において特徴的なことは、内枠飾り蓋１２の表面外周には外枠基板１０の外枠を超えるフランジが設けられることであり、このフランジは内枠飾り蓋１２の表面外周を外方に延ばして形成することもでき、また、図示した実施形態の如く、内枠飾り蓋１２の表面に固定された装飾面１４の外周を外枠基板１０の外枠より外方に延ばしたフランジ１４ａを利用することも可能である。
【００１７】
図示した実施形態において、フランジ１４ａは内枠飾り蓋１２の外周から外方へ延び、全周に亘って内枠飾り蓋１２の外周より外方に突出している。
【００１８】
外枠基板１０の側方外壁には、固定穴１０ｂが２箇所設けられ、この固定穴１０ｂには針金フック１６の両係止端１６ａが回動可能に軸止固定されている。この針金フック１６は装飾体である本実施形態のＪフック１６ｂを含む。
【００１９】
外枠基板１０の裏面には、粘着板１８が固定され、粘着板１８の裏面を室内の壁、机などの縦壁に固定することにより、前記Ｊフック１６ｂに所望の物品を掛けることができる。粘着板１８は粘着接着剤にて外枠基板１０に固定されるが、その裏面の壁面への吸着は粘着以外に磁石吸引等を用いることも可能である。
【００２０】
前述したように、外枠基板１０の内部には内枠飾り蓋１２の内壁１２ａが着脱可能に嵌め込まれ、これによって装飾体の表面には内枠飾り蓋１２の表面に直接描かれた模様あるいは実施形態のように飾り蓋１２の表面に固定された装飾面１４の模様が現れ、装飾性豊かな装飾体を楽しむことができる。
【００２１】
そして、本考案における内枠飾り蓋１２の外周には外枠基板１０の外周を超えて突出するフランジが直接あるいは前述した装飾面１４の外周面フランジ１４ａとして外付けで設けられる。
【００２２】
フランジ１４ａは内枠飾り蓋１２が外枠基板１０にしっかりと嵌合した場合にも、フランジ１４ａを外枠基板１０から指で引き出すことにより、外枠基板１０と内枠飾り蓋１２の嵌合を容易に引き離すことができる。
【００２３】
本考案において、内枠飾り蓋１２は、その表面に設けられる模様を複数種用意することができ、このように異なる装飾模様を持った内枠飾り蓋１２を外枠基板１０に容易に着脱可能であり、その日の気分により装飾模様を自由に選択することができる。
【００２４】
もちろん、内枠飾り蓋１２の模様の代わりに内枠飾り蓋１２の表面に固定される装飾面１４を複数異なる装飾模様として用意しても同様の効果を上げることができる。
【００２５】
本考案において、内枠飾り蓋１２の表面を無模様とし、装飾面１４を各種の装飾模様を持った複数の装飾面１４で構成し、好みの装飾面１４を内枠飾り蓋１２の表面に着脱することも可能であるが、この場合には、内枠飾り蓋１２と装飾面１４との着脱可能な固定力をフランジ１４ａにて引き離す外枠基板１０と内枠飾り蓋１２との固定力より大きくすることが必要である。
【００２６】
本実施形態において、上述した装飾体フックには、内枠飾り蓋１２の装飾面に加えて、外枠基板１０に飾り板２０を選択的に嵌め込み固定することができ、装飾面を２種類備えることが可能である。飾り板２０の下面には嵌め込み突部２０ａが設けられ、一方、外枠基板１０の上面には前記嵌め込み突部２０ａを受ける受け溝１０ｃが設けられ、このために外枠基板１０の上面外壁１０ａは水平な平面部１０ｄを有する。
【００２７】
図２には、飾り板２０の異なる模様を持った４枚の例が示され、これら４枚の飾り板２０からいずれか１枚を選択し、外枠基板１０に嵌め込み固定することにより図１の２種類の装飾を持った装飾体を得ることができる。
【００２８】
図４には、本考案に係る装飾体の第２実施形態が示され、外枠基板１１０は、角形の形状を有し、これにあわせて、内枠飾り蓋１１２も角形の形状から成る内壁１１２ａを有する。内枠飾り蓋１１２の表面には直接装飾模様が描かれ、また、その外周は外枠基板１１０より充分外方に突出したフランジ１１４ａを有する。
【００２９】
図５、６にはそれぞれ本考案の第３、第４実施形態が示され、図４の角形の形状を有する装飾体と同様に、それぞれの内枠飾り蓋２１２、３１２は図５においては星型、そして図６においてはハート型の形状を有する。
【００３０】
いずれの実施形態においても、内枠飾り蓋の外周にはフランジ２１４ａ、３１４ａが設けられている。
【００３１】
以上のように、本考案によれば、装飾体の基板を形成する外枠基板は使用者の好みにより部屋の壁あるいは家具の縦壁面に固定されてフックとして用いることもでき、あるいは、使用者の身体に装着して缶バッジあるいは装身具、アクセサリーとして用い、あるいは、図示した針金フックを取り外してフックの代わりにキーチェーンリングを付けることによりキーホルダーとして用いることも可能である。そしてその外枠基板には複数種類の交換可能な装飾面を有する内枠飾り蓋を任意に嵌合固定することが出来るので、使用者は好みに応じて身辺あるいは自分の部屋を装飾することが可能となる。さらに前記装飾面とは別個に、外枠基板には他の種類の飾り板を交換可能に嵌め込み固定することができ、装飾体の装飾性を著しく高めることが可能となる。
【符号の説明】
【００３２】
１０  外枠基板、１０ａ  外壁、１２  内枠飾り蓋、１２ａ  内壁、１４  装飾面、１４ａ  フランジ、１６  針金フック、２０  飾り板。
【図１】
0003231771.tif 000003
【図２】
0003231771.tif 000004
【図３】
0003231771.tif 000005
【図４】
0003231771.tif 000006
【図５】
0003231771.tif 000007
【図６】
0003231771.tif 000008